(57)【特許請求の範囲】
【請求項１】
外側リング（２）と、内部支持部材（４）と、これらの間に配置されているゴムばね（５、６）とを備えてなるブッシュ形状のユニット式マウント（１）であって、
前記外側リング（２）が、少なくとも前記ゴムばね（５、６）の接続領域（８、９）に切欠き部（10、11）を備え、この切欠き部（10、11）が、前記外側リング（２）の外側輪郭から突出するとともに当該切欠き部（10、11）の長さにわたって軸方向に延伸する端部隆起部（12、13）を備え、当該ユニット式マウントが保持部に組み込まれた状態において、当該端部隆起部が、前記切欠き部を介して半径方向内側に押圧され、それによって加硫によって生じるゴムばねの収縮による寸法の減少が相殺されることを特徴とするユニット式マウント。
【請求項２】
前記端部隆起部と、前記外側リング（２）の外側輪郭との高さの差（Ｘ）が、加硫による前記ゴムばね（５、６）の収縮による寸法の減少量に対応している請求項１に記載のユニット式マウント。
【請求項３】
前記端部隆起部と、前記外側リング（２）の外側輪郭との高さの差（Ｘ）が、加硫による前記ゴムばね（５、６）の収縮による寸法の減少量よりも大きい請求項１に記載のユニット式マウント。
【請求項４】
前記外側リング（２）の周囲にエラストマー被覆（３）が設けられている請求項１から３までのいずれか１項に記載のユニット式マウント。
【請求項５】
外側リング（２）と、内部支持部材（４）と、これらの間に配置されているゴムばね（18、19）とを備えてなるブッシュ形状のユニット式マウント（１）であって、
前記外側リング（２）の周囲にエラストマー被覆（３）が設けられ、
前記外側リング（２）が、前記外側リング（２）と前記内部支持部材（４）との間の製造に起因する自由空間の１つ又は複数の主荷重方向（７）に対向する領域（21）に、これらの領域（21）の数に対応する数の切欠き部（22）を備え、前記外側リング（２）の前記エラストマー被覆（３）がこれらの領域（21）に、前記ユニット式マウント（１）が保持部に組み込まれた状態において、前記外側リング（２）と前記内部支持部材（４）の間の製造に起因する自由空間（17）を少なくとも充填するとともに前記切欠き部（22）の長さにわたって軸方向に延伸する肉厚部（23）を有していることを特徴とするユニット式マウント。
【請求項６】
前記外側リング（２）の、前記主荷重方向（７）から側方にずれて位置する壁部に追加の切欠き部（26、27）が設けられ、この追加の切欠き部（26、27）が、前記エラストマー被覆（３）の膨出部（28、29）で覆われるとともに、前記ユニット式マウント（１）が保持部に組み込まれた状態において、当該膨出部（28、29）が半径方向内方に向かって外側リングに圧入されて、前記内部支持部材（４）の自由な偏倚を制限する請求項５に記載のユニット式マウント。
【発明の詳細な説明】
【０００１】
【発明の属する技術分野】
本発明は、外側リングと、内部支持部材と、これらの間に配置されているゴムばねとを有するブッシュ形状のユニット式マウントに関する。
【０００２】
このような形式の公知のユニット式マウントでは、ゴムばねが、外側リングと支持部材にはさまれている中間の空間で加硫されている。このような構成では、加硫に続くマウントの冷却の際に、ゴムばねの収縮が起こり、この収縮によって中間の空間が拡大し、それによって所望のマウント特性が得られないことがある。
【０００３】
【従来の技術】
上記欠点を解消するため、このように拡大された中間の空間、すなわち広がった間隙に付加体を挿入し、この付加体によって弾性的な初期応力を得ることがDE3840176C2によって公知である。この構成によって、マウントの引張方向での非線形特性を早い時期から利用することが可能となる。キャリブレーション、調整することによって、ユニット式マウントに付加体を設けることなく、ユニット式マウントを構成して使用することが可能である。しかしキャリブレーションによって、間隙を全面的又は少なくとも部分的に排除しなければならない。このことは、間隙がたとえば最大４mmという大きな寸法に達している場合には問題である。この場合、間隙寸法は２つの要因からもたらされ、そのうちの１つはすでに述べた加硫に起因する収縮によるものであり、最大２mm程度の間隙をもたらす。もう１つは製造技術に起因するものであり、ゴムばねに軸方向の貫通部を設けるために必要とされる最低寸法である。外側リングが、輪郭決めされたエラストマー被覆を備えている場合、調整は特に困難になる。
【０００４】
【発明が解決しようとする課題】
本発明の課題は、低コストで製造することができ、ゴムばねの収縮によって生じる欠点を回避することができるユニット式マウントを提供することである。
【０００５】
上記課題は、冒頭に述べた種類のユニット式マウントにおいて、本発明によれば、外側リングが少なくともゴムばねの接続領域で切欠き部を備えており、この切欠き部が、外側リングの外側輪郭から半径方向外側に突出するとともに切欠き部の長さにわたって軸方向に延伸する端部隆起部を備えていることによって解決される。この新たな設計には、エラストマーで被覆された外側リングを用いることが好ましく、それによってエラストマーで被覆されていない金属リングから外側リングを形成する場合に必要とされる比較的高価な腐食防止が不要となる。本願発明のユニット式マウントは、使用される際に、保持部に組み込まれ、このとき端部隆起部と保持部は接続領域において接続される。半径方向に突出する端部隆起部を採用することによって、コストのかかる調整を省略することができる。対応する保持部にユニット式マウントが組み込まれることにより、端部隆起部は、外側リングにある切欠き部を介して半径方向内側へ押圧され、それによってゴムばねの収縮による寸法の減少が相殺され、もしくはゴムばねの初期応力さえもたらすことが可能となる。この目的のため、端部隆起部と、外側リングの外側輪郭との高さの差、又は端部隆起部の頂部と、外側リングの外側輪郭との半径方向における位置の差、半径方向の間隔は、加硫によって生じるゴムばねの寸法の収縮量に実質上対応するように、もしくは寸法の収縮量よりも大きくなるように設定される。つまり本発明の思想は、端部隆起部が外側リングの切欠き部に挿通され、ユニット式マウントを保持部に挿入した後には、端部隆起部が半径方向内側に向かって切欠き部を介して押圧され、それによって少なくとも収縮した分の寸法が相殺されるように、ユニット式マウントの少なくとも１つのゴムばねを構成することを意図している。端部隆起部に相応の構成と高さがあれば、圧入によってゴムばねに初期応力をもたらすことさえ可能であり、このことは一連の利用状況おいて好ましい。
【０００６】
本発明の思想を発展させることにより、冒頭に述べた種類のユニット式マウントにおいて、本発明によれば、外側リングの周囲にエラストマー被覆が設けられ、外側リングが、外側リングと内部支持部材との間の製造に起因する自由空間の１つ又は複数の主荷重方向に対向する領域に、これらの領域の数に対応する数の切欠き部を備え、外側リングのエラストマー被覆がこれらの領域に、ユニット式マウントが保持部に組み込まれた状態において、外側リングと内部支持部材の間の製造に起因する自由空間を少なくとも充填するとともに切欠き部の長さにわたって軸方向に延伸する肉厚部を有する。この構成により、内部支持部材に対してゴムばねと反対の側にストッパを取り付けることが可能となる。この場合のストッパは、ゴムばねから分離されている。このユニット式マウントを保持部に組み込むことにより、結果として、肉厚部が外側リングの切欠き部の中へ半径方向に圧入されるので、製造に起因する自由空間、通路又は隙間と、収縮によって生じる拡大された分離間隙とを橋渡しすること、すなわち隙間をなくすことができる。この構成により、ストッパは内部支持部材に当接する。
【０００８】
内部支持部材の自由な偏倚に対して、主動作方向に対して横向きに追加的な制限を加えるために、外側リングの、主荷重方向から側方にずれて位置する壁部に追加の切欠き部が設けられる。この追加の切欠き部は、主荷重方向に対向して開口していない。追加の切欠き部はエラストマー被覆の膨出部で覆われ、かつこの膨出部は、ユニット式マウントが保持部に組み込まれた状態で、半径方向内方に向かって外側リング内に圧入される。このような膨出部は、その形状の点で、実質上、上述した肉厚部に相当し、同様に外側リングにある切欠き部を通じて半径方向でユニット式マウントに圧入することができる。この構成により、主荷重方向に対して角度をなすように、又は主荷重方向と直交するように相応に構成されたストッパは、早い時期又は偏倚が小さいうちから機能し得る。
【０００９】
【発明の実施の形態】
次に、図に示される複数の実施例を参照しながら、本発明についてさらに説明する。
【００１０】
図１には、ブッシュ形状に構成されたユニット式マウント１が保持部に組み込まれていない状態での軸に垂直な方向の断面、すなわち横断面を示す。図１は、図２のB-B線に沿った断面を表している。このユニット式マウントは、実質的にエラストマー被覆３を有する外側リング２と、内側の内部支持部材４と、これらの間に設けられているゴムばね５及び６とから形成されている。動作時にユニット式マウント１に作用する力が、主荷重方向を表す矢印７により示されている。ゴムばね５及び６の接続領域８及び９には、外側リング２の切欠き部10及び11が設けられている。これらの切欠き部10及び11を、ゴムばね５及び６の端部隆起部12及び13が貫通し、エラストマー被覆３で形成されている外側リングの外側輪郭から半径方向外側に突出している。ユニット式マウント１を保持部に組み込んだ際、接続領域８及び９において、端部隆起部が保持部に接続され、保持部によって端部隆起部が半径方向内方に押圧される。端部隆起部と外側リング２の外側輪郭との高さの差又は半径方向の間隔Ｘは、加硫によってゴムばね５及び６の寸法が収縮する大きさと少なくとも同じ大きさとなるように設定されている。端部隆起部12及び13が、その高さが、ゴムばね５及び６の収縮する寸法に対応している場合、端部隆起部は、ゴムばね５及び６の収縮によって、外側リングの切欠き部10及び11の中へ実質的に引き込まれる。しかしながら高さの差又は間隔Ｘをもっと大きく設定して、ユニット式マウント１を対応する保持部に組み込んだとき、すでにゴムばね５及び６に初期応力がもたらされるようにすることが好ましい。本実施例では、外側リング２に設けられているエラストマー被覆３が、外側リングの周囲でマウントの軸に垂直な断面において波形を形成するように、マウントの軸の方向に延伸する突出部24を形成している。
【００１１】
図２には、図１のユニット式マウントの、マウントの軸と平行かつ主荷重方向に垂直な断面、すなわち縦断面を示す。図２は、図１のA-A線に沿った断面を表している。この図には、ゴムばね５及び６がマウントの軸の方向に延伸している様子や、参照番号14及び15で図示されている図面の左側に向かって厚みが増すように傾斜する端部隆起部12及び13のスロープ状の構成の配置が示され、この構成によって保持部へのユニット式マウント１の組み込みが容易になる。
【００１２】
図３には、主荷重方向７に機能するユニット式マウント１の横断面を示す。引張ストッパ16は、本実施例ではスタブ状に構成されている。図３は、図４のD-D線に沿った断面を表している。ばね力は、主に、ここでは断面で見て概略Ｖ字型に構成されたゴムばね18及び19によってもたらされる。ゴムばね18及び19の間には、押圧ストッパバッファ20が挿入されている。領域21では、外側リング２が、主荷重方向７に対向して開口する切欠き部22を備えている。切欠き部22は、外側リング２と一体化されている肉厚部23によって覆われている。ゴムばね18及び19は外側リング２に直接取り付けられており、外側リング２にはこの領域において切欠き部22は穿設されていない。ユニット式マウント１を保持部（図示されない）に組み込むと、領域又は接続領域21において、肉厚部23が保持部に接続され、保持部によって肉厚部23が切欠き部22の中に、半径方向内方に押圧され、ストッパ16の半径方向に位置する外側面に当接する。このような構成により、保持部にユニット式マウントを組み込むことにより、ゴムばね18及び19の収縮によって生じた寸法の収縮と、軸方向の既存の貫通部17によって生じる自由空間とを相互に橋渡しすること、又は肉厚部23の内側面とストッパ16の外側面とを接触させることができる。本実施例では、外側リング２に設けられているエラストマー被覆３が、外側リングの周囲でマウントの軸に垂直な断面において波形を形成するように、マウントの軸の方向に延伸する突出部24を形成している。
【００１３】
図４は、図３のユニット式マウントの縦断面を示し、マウントの軸方向に延伸する貫通部又は自由空間17を備えるマウント１の構成を示している。図４は、図３のC-C線に沿った断面を表している。軸方向の貫通部17により、ストッパ16は肉厚部23と隔てられている。それにもかかわらず、ゴムばね18及び19を引っ張る方向で、すなわち引張方向で非線形特性を早い時点から利用するために、保持部にユニット式マウント１を組み込んだときに内方に向かって押圧されて、その内側面がストッパ16に当接する肉厚部23が設けられている。ゴムばね18及び19は、本実施形態では、ユニット式マウント１の軸方向の長さ全体にわたって延伸している。所望の非線形特性、特性の推移を得るには、ストッパ16と協働する肉厚部23は切欠き部21の長さにわたってのびているだけで十分である。
【００１４】
図５は、図３及び図４のユニット式マウント１の要部のみを示す平面図であり、肉厚部23と切欠き部22の形状を示す。外側リング２のエラストマー被覆３の、断面が波形に形成されている隆起部分又は突出部24も、明らかに示されている。肉厚部23は、図面で見て上方に向かって厚みが薄くなるように傾斜して切欠き部22を覆っている。この構成によって保持部へのユニット式マウント１の挿入が容易になる。
【００１５】
図６及び図７は、図３に示すユニット式マウント１が保持部25に組み込まれた状態での横断面及び縦断面を示す。図６は図７のF-F線に沿った、図７は図６のE-E線に沿った断面をそれぞれ表している。肉厚部23は切欠き部22を介して押圧されて、ストッパ16に当接している。
【００１６】
図８と図９には、マウントの軸方向に延伸する貫通部17の穿設によってもたらされる内部支持部材の自由な偏倚を制限するための実施形態を示す。ここで、図８はユニット式マウント１それ自体の完成した状態を示し、図９はユニット式マウント１を保持部25に組み込んだ状態を示している。ゴムばね18及び19の構成、並びに外側リング２と内部支持部材４の構成は、外側リング２にある肉厚部23及び切欠き部22の構成も含めて、図３から図７に示す構成と同様である。この実施例では、外側リング２の、主荷重方向７に沿った中心線から側方にずれて位置する壁部に追加の切欠き部26及び27が設けられている。図８によく示されているように、追加の切欠き部26及び27は、主荷重方向７と直交する方向に開口している。これらの追加の切欠き部は、エラストマー被覆３の膨出部28及び29によって覆われており、膨出部28及び29は、図９に示されているように、ユニット式マウント１を保持部に25に組み込んだ状態で、肉厚部23と同様に、内方に向かって外側リング２の中に圧入される。内部支持部材４は側方のストッパ30及び31を有し、組み込んだ状態ではこれらの側方のストッパ30及び31に膨出部28及び29が当接する。この構成によって、ユニット式マウント１に、横方向への自由な偏倚に対する制限を追加して加えることができる。本実施例では、図８によく示されているように、外側リング２に設けられているエラストマー被覆が、外側リングの周囲でマウントの軸に垂直な断面において波形を形成するように、マウントの軸の方向に延伸する突出部24を形成している。
【００１７】
図10は、ユニット式マウント１のさらに別の実施形態の横断面を示す。切欠き部35及び36は、ここでは外側リング２の下側半分のゴムばね35及び36の接続領域に設けられている。切欠き部35及び36と、ゴムばねの概略Ｖ字型に構成されているばね脚37及び38とがそれぞれ係合している。ゴムばね又はばね脚37及び38の端部隆起部39及び40は、外側リング２の外側輪郭から半径方向外側に突出している。ユニット式マウント１を保持部（図示されない）に組み込むことにより、端部隆起部39及び40が保持部に接続され、保持部により切欠き部35及び36を介して圧入される端部隆起部39及び40によって、内部支持部材４は上方に向かって偏倚し、内方に突出しているストッパ41と当接、圧着する。内部支持部材４とストッパ41の間隔、空間は、製造に起因する軸方向の貫通部17と、ユニット式マウント１の製造時に冷却によって生じる寸法の収縮量とに対応している。ユニット式マウント１のこのような構成は、図３を参照して説明したユニット式マウントと同じ効果をもたらすが、この実施例においては、ストッパ41が外側リング２の内側に設けられている点で図３の場合とは異なる。図10の場合には、端部隆起部39及び40が押圧されることにより内部支持部材４が偏倚してストッパ41と当接するのに対して、図３の場合には、肉厚部23が押圧されて直ちにストッパ16と当接する点で両者は相違する。本実施例では、外側リング２に設けられているエラストマー被覆が、外側リングの周囲でマウントの軸に垂直な断面において波形を形成するように、マウントの軸の方向に延伸する突出部24を形成している。
【００１８】
本発明の思想は、たとえば腐食防止ないし公差補正が必要ない場合の、外側リングにエラストマー被覆が施されていないユニット式マウントに対しても適用することができる。
【００１９】
【発明の効果】
本願発明は、外側リング（２）と、内部支持部材（４）と、これらの間に配置されているゴムばね（５、６）とを備えてなるブッシュ形状のユニット式マウント（１）であって、外側リング（２）が少なくともゴムばね（５、６）の接続領域（８、９）で、好ましくは主荷重方向に対向して開口する、切欠き部（10、11）を備え、この切欠き部（10、11）が、外側リング（２）の外側輪郭から突出する端部隆起部（12、13）を備えていることを特徴とする。この構成によって、低コストで製造することができ、ゴムばねの収縮によって生じる欠点を回避することができるユニット式マウントが提供される。
【図面の簡単な説明】
【図１】左右対称な引張／圧縮負荷に対するユニット式マウントを示す横断面図である。
【図２】図１のA-A線に沿った、ユニット式マウントの縦断面図である。
【図３】半径方向に大きな作業経路を有するユニット式マウントを示す横断面図である。
【図４】図３のC-C線に沿った、ユニット式マウントの縦断面図である。
【図５】図３のユニット式マウントの平面図である。
【図６】保持部に組み込まれた図３のユニット式マウントを示す横断面図である。
【図７】図６のE-E線に沿った、ユニット式マウントの縦断面図である。
【図８】横方向に対する自由な偏倚を追加的に制限するユニット式マウントを示す横断面図である。
【図９】図８のユニット式マウントを保持部に組み込んだ状態で示す図である。
【図１０】ユニット式マウントの別の実施形態を示す横断面図である。
【符号の説明】
１      ユニット式マウント
２      外側リング
３      エラストマー被覆
４      支持部材
５      ゴムばね
６      ゴムばね
７      主荷重方向
８      接続領域
９      接続領域
１０    切欠き
１１    切欠き
１２    端部隆起部
１３    端部隆起部
Ｘ      高さの差
１７    自由空間
１８、１９    ゴムばね
２１    主荷重方向に対向する領域
２２    切欠き部
２３    肉厚部
２５ 保持部
２６、２７    追加の切欠き部
２８、２９    膨出部
３５、３６ 切欠き部
３７、３８ ばね脚
３９、４０ 端部隆起部
４１ ストッパ
【図１】
0003940040.tif 000002
【図２】
0003940040.tif 000003
【図３】
0003940040.tif 000004
【図４】
0003940040.tif 000005
【図５】
0003940040.tif 000006
【図６】
0003940040.tif 000007
【図７】
0003940040.tif 000008
【図８】
0003940040.tif 000009
【図９】
0003940040.tif 000010
【図１０】
0003940040.tif 000011